(57)【特許請求の範囲】
【請求項１】
固定部分、及び、前記固定部分の内部に配置された回転可能な部分を有する弁と、
マニホールド供給ポート、及びマニホールド濾液ポートと、
前記回転可能な部分とともに回転可能となるように該回転可能な部分に動作可能に接続されるハンドルと、を備えるフィルタマニホールドであって、
前記ハンドルは、該ハンドルから延びるカートリッジリフターを有し、
前記カートリッジリフターは、カムランプのリフター係合機構、及びカムラグのリフター係合機構のうちの１つと、ハンドル解放機構と、を有し、
前記ハンドルは、整備位置と解放位置とに回転可能であり、
前記マニホールド供給ポートは、
前記ハンドルが前記整備位置にあるときに、前記弁によって開通され、
前記ハンドルが前記解放位置にあるときに、前記弁によって封鎖され、
前記ハンドルが前記解放位置へ移動したときに、前記ハンドル解放機構は、前記フィルタマニホールドに装着されるフィルタカートリッジを、前記フィルタマニホールドから完全に解放するように、前記フィルタマニホールドから離れる方向へ押す、フィルタマニホールド。
【請求項２】
請求項１に記載のフィルタマニホールドと、
フィルタカートリッジと、を備え、
前記フィルタカートリッジは、カートリッジ供給ポートと、カートリッジ濾液ポートと、カートリッジ外面とを有し、
前記カートリッジ外面は、前記リフター係合機構と係合するためのカムラグ又はカムランプのうちの１つと、カートリッジ解放機構とを含む、濾過システム。
【請求項３】
請求項２に記載の濾過システムの組み立て方法であって、
前記ハンドルが前記解放位置にある間に、前記フィルタマニホールドの下に前記フィルタカートリッジを提供する工程と、
前記ハンドルを前記整備位置に回転させて、前記カートリッジリフターを前記カムラグによって前記カムランプと接触させ、前記フィルタカートリッジを前記フィルタマニホールドの方へ引き寄せる工程と、
前記カートリッジ供給ポートを前記マニホールド供給ポートと係合させる工程と、
前記カートリッジ濾液ポートを前記マニホールド濾液ポートと係合する工程と、
前記マニホールド供給ポートを開通するために前記弁を作動させる工程と、を備える、組み立て方法。
【請求項４】
前記弁は、前記回転可能な部分に接続された回転ロックをさらに有し、
前記ハンドルが前記解放位置にあるときに、前記回転ロックによって前記回転可能な部分の回転が阻止される、請求項１に記載のフィルタマニホールド。
【請求項５】
前記回転ロックは、押圧可能な部材を含み、
前記押圧可能な部材は、
前記弁の前記回転可能な部分に接続され、前記弁の前記固定部分に設けられた開口から突出し、
ロックする位置からロック解除する位置へ押圧可能である、請求項４に記載のフィルタマニホールド。
【請求項６】
前記カートリッジリフターは、第１のランプ部分および第２のランプ部分を含む前記カムランプを有し、
前記第１のランプ部分は、前記第２のランプ部分より大きい傾斜を有する、請求項１に記載のフィルタマニホールド。
【発明の詳細な説明】
【背景技術】
【０００１】
水濾過システムは、住宅用及び商業用にしばしば採用される。そのようなシステムは典型的には給水系に設置され、水道栓及び飲用水分配器などに濾過水を提供するように機能する。いくつかの住宅用途では、濾過システムは例えばキッチンのカウンター台の下に設置される。多くの場合、そのようなシステムは、家主が交換可能な使い捨てのフィルタカートリッジを有する。使い捨てフィルタカートリッジの有効寿命が満了したとき、家主はその使い終わったフィルタカートリッジを取り出し、新しいフィルタカートリッジを設置しなくてはならない。そのようなシステムがカウンター台の下に位置する場合、家主がシステムに到達して必要な設置工程を実行することが困難である場合がある。しばしば、そのような位置は狭く、システム自体にとっても家主にとっても利用可能なスペースは限られている。新しいフィルタカートリッジが設置された後、使用済みのフィルタカートリッジ全体が通常は廃棄される。
【発明の概要】
【発明が解決しようとする課題】
【０００２】
占有スペースがより少なく、維持管理が迅速かつ簡易で、かつ使用済みのフィルタカートリッジを廃棄するときに出す環境ごみがより少ない濾過システムの必要は継続的にある。
【課題を解決するための手段】
【０００３】
本開示は、概して、濾過システムを整備するために必要な時間及び労力を削減することが可能なフィルタマニホールド及び濾過システムに関する。本開示によるフィルタカートリッジは、ハンドルを１回引いてフィルタカートリッジを取り上げフィルタマニホールドと係合させて設置することができる。本開示のフィルタマニホールド及び濾過システムは、水濾過システムによって占有されるスペースを減らすことが可能な薄型の構造物を有することができる。更に、より少ない材料が使用され得るので、本発明は使用済みのフィルタカートリッジの廃棄に伴う環境ごみを削減することができる。
【０００４】
本特許出願は、弁を備えるフィルタマニホールドを開示する。いくつかの実施形態では、弁は、固定部分と、回転可能な部分と、この回転可能な部分に接続された回転ロックと、を備える。マニホールドは、マニホールド供給ポート及びマニホールド濾液ポートを更に備える。ハンドルは、回転可能な部分に動作可能に接続されており、カートリッジリフターを備える。いくつかの実施形態では、カートリッジリフターはカムランプとカムラグとからなる群から選択されるリフター係合機構を備える。ハンドルは整備位置及びロックされた位置に回転可能であり、ハンドルがロックされた位置にあるとき、回転は回転ロックによって防がれ、マニホールド供給ポートは弁によって封鎖される。
【０００５】
一実施形態では、フィルタマニホールドはブラケットを更に備え、弁はブラケットによって保持され、固定部分はブラケットに付着される。
【０００６】
一実施形態では、フィルタマニホールドはカートリッジ支持棚を更に備える。カートリッジ支持棚は、ハンドルが整備位置にあるときにカートリッジリフターの下の位置のブラケット上に配置され得る。あるいは、カートリッジ支持棚は弁の固定部分の一部であってもよい。
【０００７】
いくつかの実施形態では、回転ロックは、弁の回転可能な部分に接続されていて弁の固定部分の開口から突出している押圧可能な部材を備える。一実施形態では、押圧可能な部材をロックする位置からロック解除する位置に押圧することができる。いくつかの実施形態では、押圧可能な部材は、ロックする位置にあるときに開口から突出し、ロック解除する位置にあるときに弁の固定部分内に収納されている。一実施形態では、押圧可能な部材は、ハンドルが整備位置にあるときはロック解除する位置にある。
【０００８】
一実施形態では、弁の回転可能な部分は、ハンドルがロックされた位置にあるときにマニホールド供給ポートをマニホールド濾液ポートに流体接続するバイパスチャネルを備える。適切な場合は、弁の回転可能な部分は２つの部品からなる外殻を備え、２つの部品からなる外殻は第１の円筒形部分と第２の円筒形部分とを有し、各円筒形部分はそれぞれ、押圧可能な部材を位置づけるためにそれ自体に凹部を有する接続端と、バイパスチャネルの一部分のための流体コネクタとを備える。第１及び第２の円筒形部分の接続端はバイオネット接続によって互いに接続して、押圧可能な部材を位置づけ、バイパスチャネルを流体接続する。
【０００９】
いくつかの実施形態では、弁の固定部分は長手方向軸と、この長手方向軸に沿って配向された第１の端と、この第１の端に対向する第２の端と、を備える。そのような実施形態では、回転可能な部分の第１の軸方向伸張部は第１の端から突出し、回転可能な部分の第２の軸方向伸張部は第２の端から突出する。ハンドルは、第１及び第２の軸方向伸張部に付着することができる。
【００１０】
いくつかの実施形態では、フィルタマニホールドは、カートリッジ供給ポートと、カートリッジ濾液ポートと、回転キーと、を有するフィルタカートリッジを更に備えており、回転キーは押圧可能な部材を押圧してロック解除する位置にする。一実施形態では、押圧可能な部材は第１の遠位表面を備え、回転キーはフィルタカートリッジからの突出を備える。この突出は第２の遠位表面を有することができ、第２の遠位表面は第１の遠位表面に接触して押圧可能な部材を押圧する。
【００１１】
本特許出願はまた、フィルタマニホールドとフィルタカートリッジとを備える濾過システムも開示する。いくつかの実施形態では、フィルタマニホールドはブラケットを備えることができ、このブラケットによって弁が保持されており、この弁はブラケットに付着された固定部分と回転可能な部分とを備える。一実施形態では、ブラケットは、ハンドルが整備位置にあるときにカートリッジリフターの下の位置にあるブラケット上に配置されたカートリッジ支持棚を備える。いくつかの実施形態では、フィルタマニホールドはブラケットなしに提供される。そのような実施形態では、カートリッジ支持棚を弁の固定部分の一部として提供することができる。一実施形態では、フィルタマニホールドは、マニホールド供給ポートとマニホールド濾液ポートとを更に備える。いくつかの実施形態では、ハンドルは回転可能な部分に動作可能に接続されており、カムランプのリフター係合機構又はカムラグのリフター係合機構のうち１つを有するカートリッジリフターを備える。ハンドルは整備位置及び解放位置に回転可能であり、マニホールド供給ポートはハンドルが解放位置にあるときに弁によって封鎖される。
【００１２】
開示される濾過システムでは、フィルタカートリッジはカートリッジ供給ポートと、カートリッジ濾液ポートと、リフター係合機構を係合するためのカムラグ又はカムランプのうち１つを有するカートリッジ外面と、を備えることができる。
【００１３】
いくつかの実施形態では、カムラグは先端と主面とを備えており、先端は、主面がカムランプと接触する前にカムランプと接触する。
【００１４】
一実施形態では、カムランプは第１のランプ部分と第２のランプ部分とを備えており、第１のランプ部分は第２のランプ部分より速い速度でカムラグをフィルタマニホールドに向けて前進させる。一実施形態では、第１のランプ部分は線形輪郭を備え、第２のランプ部分は曲線輪郭を備える。別の実施形態では、第１及び第２のランプ部分はそれぞれ曲線輪郭を備える。
【００１５】
いくつかの実施形態では、ハンドルはハンドル解放機構を備え、フィルタカートリッジはカートリッジ解放機構を備える。そのような実施形態では、ハンドル解放機構はハンドルが回転する際にカートリッジ解放機構と協調動作して、フィルタカートリッジの取り外し中にフィルタカートリッジを押してフィルタマニホールドから離すのを支援する。
【００１６】
開示されている濾過システムのいくつかの実施形態では、フィルタカートリッジは内部体積と使い捨てフィルタ要素とを有する剛性サンプを備える。使い捨てフィルタ要素の少なくとも一部分は内部体積内に位置づけることが可能である。一実施形態では、カートリッジ外面は剛性サンプ上にある。別の実施形態では、カートリッジ外面は使い捨てフィルタ要素上にある。
【００１７】
開示されている濾過システムの一実施形態では、弁は、回転可能な部分に接続された回転ロックを更に備える。そのような実施形態では、ハンドルが解放位置にあるときに回転ロックによってハンドルの回転が阻止される。いくつかの実施形態では、回転ロックは、弁の回転可能な部分に接続されていて弁の固定部分の開口から突出している押圧可能な部材を備える。一実施形態では、押圧可能な部材をロックする位置からロック解除する位置に押圧することができる。いくつかの実施形態では、フィルタカートリッジは回転キーを更に備えており、回転キーは押圧可能な部材を押圧してロック解除する位置にする。
【００１８】
本特許出願はまた、上述の濾過システムを整備するための方法も開示する。一実施形態では、この方法は、（ｉ）ハンドルが解放位置にある間にフィルタマニホールドの下にフィルタカートリッジを提供する工程と、（ｉｉ）ハンドルを整備位置に回転することによってカートリッジリフターをカムラグでカムランプと接触させ、それによってフィルタカートリッジをフィルタマニホールドの方へ引き寄せる工程と、（ｉｉｉ）カートリッジ供給ポートをマニホールド供給ポートと係合する工程と、（ｉｖ）カートリッジ濾液ポートをマニホールド濾液ポートと係合する工程と、（ｖ）弁を作動してマニホールド供給ポートの封鎖を解く工程と、を含む。
【００１９】
別の実施形態では、この方法は、（ｉ）ハンドルが解放位置にある間にフィルタカートリッジをカートリッジ支持棚上に静置する工程と、（ｉｉ）ハンドルを整備位置に回転することによってカートリッジリフターをカムラグでカムランプと接触させ、それによってフィルタカートリッジをカートリッジ支持棚から持ち上げてフィルタカートリッジをフィルタマニホールドの方へ引き寄せる工程と、（ｉｉｉ）カートリッジ供給ポートをマニホールド供給ポートと係合する工程と、（ｉｖ）カートリッジ濾液ポートをマニホールド濾液ポートと係合する工程と、（ｖ）弁を作動してマニホールド供給ポートの封鎖を解く工程と、を含む。
【００２０】
別の実施形態では、この方法は、（ｉ）ハンドルが解放位置にある間にフィルタカートリッジをフィルタマニホールドの下に提供する工程と、（ｉｉ）回転キーを回転ロックと接触させる工程と、（ｉｉｉ）ハンドルを整備位置に回転することによってカートリッジリフターをカムラグでカムランプと接触させてフィルタカートリッジをフィルタマニホールドの方へ引き寄せる工程と、（ｉｖ）カートリッジ供給ポートをマニホールド供給ポートと係合する工程と、（ｖ）カートリッジ濾液ポートをマニホールド濾液ポートと係合する工程と、（ｖｉ）弁を作動してマニホールド供給ポートの封鎖を解く工程と、を含む。
【００２１】
上述の方法はいずれも、（ｉ）ハンドルを反対方向に回転する工程と、（ｉｉ）ハンドル解放機構をカートリッジ解放機構と接触させる工程と、（ｉｉｉ）ハンドルを回転し続けることによってフィルタカートリッジを押してマニホールドから離す工程と、を含む方法によってマニホールドからフィルタカートリッジを取り外す工程を更に含むことができる。
【００２２】
本発明のこれら及び他の態様は、以下の「発明を実施するための形態」から明らかになるであろう。しかし、決して、上記要約は、請求された主題に関する限定として解釈されるべきでなく、主題は、手続処理の間補正することができるような書類名特許請求の範囲によってのみ規定される。
【図面の簡単な説明】
【００２３】
本明細書全体にわたって、類似の参照数字が類似の要素を指す添付図面が参照される。
【図１】フィルタマニホールドの斜視図。
【図１Ａ】図１のフィルタマニホールドの底面斜視図。
【図２】図１の２−２で取られた断面図。ハンドル及び弁がロックされた位置にあり、フィルタカートリッジがフィルタマニホールドの下に位置づけられている、フィルタマニホールドの一部分。
【図２Ａ】図１の２Ａ−２Ａで取られた部分断面図。フィルタカートリッジがマニホールドに完全に設置され、ハンドル及び弁が整備位置にある、図２のアセンブリ。
【図３】弁の回転可能な部分の斜視図。
【図３Ａ】弁の回転可能な部分を示す図３の３Ａ−３Ａで取られた断面図。
【図３Ｂ】弁の回転可能な部分を示す図３の３Ｂ−３Ｂで取られた断面図。
【図３Ｃ】弁の回転可能な部分の分解図。
【図４】組み立てられた状態のフィルタカートリッジの斜視図。
【図５】フィルタカートリッジが設置されておりハンドルが整備位置にある濾過システムの斜視図。
【図５Ａ】フィルタカートリッジが外されておりハンドルがロックされた位置にある濾過システム。
【図６】図５の、カムランプを有するハンドルの６−６で取られた断面図。
【図６Ａ】フィルタカートリッジのカムラグ。
【図７】フィルタカートリッジが外されておりハンドルがロックされた位置にある濾過システムの斜視図。フィルタカートリッジは使い捨てフィルタ要素と剛性サンプとを備える。
【発明を実施するための形態】
【００２４】
図１及び１Ａはフィルタマニホールド１００の代表的な実施形態を図示する。フィルタマニホールド１００は、典型的にはブラケット１０４を備える。ブラケット１０４は、フィルタマニホールド１００を壁又は他の適した支持体に付着することを可能にする装着構造を更に備えることができる。フィルタマニホールド１００は、給水源１１１と、濾液出口１１２と、弁１１０と、フィルタカートリッジをフィルタマニホールド１００の方へ引き寄せるためにフィルタカートリッジ（例えばフィルタカートリッジ４６０）上の適合可能な立体形状と係合する構造物をその上に有するハンドル１３４と、を更に備える。図１及び１Ａで、ハンドル１３４はロックされた、すなわち係合が解かれた位置で示されている。弁１１０は、典型的には、図２及び図２Ａにより大きく詳細に示されているように、固定部分１１４と回転可能な部分２１８とを備える。ハンドル１３４は弁１１０の回転可能な部分２１８に動作可能に接続される。一実施形態では、ハンドル１３４は使用者が片手で好ましくは下方へのストロークによってハンドル１３４を作動することを可能にする把持部分を備える。
【００２５】
いくつかの実施形態では、フィルタマニホールド１００はブラケット１０４なしに提供される。そのような実施形態では、弁１１０の固定部分１１４に装着構造物を提供して、弁１１０を壁又は他の支持体に直接装着することを可能にすることができる。好適な装着構造物としては、例えば、ねじ山のある締結部品を受容するために中に穴を有する隆起したボスが挙げられる。他の好適な装着構造物としては、例えば、壁又は他の支持体上の相補的スナップ嵌め機構と係合する雄又は雌のスナップ嵌め機構が挙げられる。
【００２６】
上述の及び後に記述される実施形態のフィルタマニホールド１００の様々な部品は、十分な強度及び加工性を有する任意の好適な材料から構築され得る。好適な材料の例としては、ポリプロピレン、ポリスチレン、ナイロン、及び様々なポリフェニレンエーテル化合物が挙げられる。また、より高い強度を必要とする用途では、例えば、部品をステンレススチール及びアルミニウムのような金属で構築してもよいと想定される。
【００２７】
いくつかの実施形態では、フィルタマニホールド１００は少なくとも１つのカートリッジ支持棚１０６を備える。典型的には、カートリッジ支持棚１０６はブラケット１０４に付着される。図１及び１Ａに示されるようないくつかの実施形態では、ブラケット１０４は対向する側部を備え、ブラケット１０４の対向する側部のそれぞれに１つのカートリッジ支持棚１０６が配置される。カートリッジ支持棚１０６は、フィルタカートリッジ４６０の組み立ての前に又はフィルタマニホールド１００からのその取り外しの後にフィルタカートリッジ４６０を準備位置に支持するように位置づけられる。いくつかの実施形態では、準備位置は、フィルタカートリッジ４６０をハンドル１３４のカートリッジリフター１３８と協調動作する位置に静置することを可能にするために位置づけられる。そのような実施形態では、ハンドル１３４が回転する際に、カートリッジリフター１３８がフィルタカートリッジ４６０の適合可能な機構を係合し、それによってフィルタカートリッジ４６０をカートリッジ支持棚１０６から持ち上げ、フィルタカートリッジ４６０をフィルタマニホールド１００の方へ引き寄せることができる。カートリッジ支持棚１０６はフィルタカートリッジ４６０を静置するのに便利な場所を提供し、かつフィルタカートリッジ４６０がカートリッジリフター１３８と協調動作するための正しい整列を確保するのを助ける。カートリッジ支持棚１０６は、フィルタカートリッジ４６０がフィルタマニホールド１００から取り外される際に、それを停止させる機能も更に提供し、それによってフィルタカートリッジ４６０が動作圧下で取り外される際にフィルタマニホールド１００から落下することないしは別の方法で射出されることを防ぐのを助けることができる。
【００２８】
フィルタマニホールド１００にブラケット１０４が提供される実施形態では、カートリッジ支持棚１０６を弁１１０の固定部分の一部として提供することができる。例えば、カートリッジ支持棚１０６は、固定部分１１４から突出している１つ以上の突出部と一体成形することができる。あるいは、カートリッジ支持棚１０６は、好適な締結具によって固定部分１１４に締結される個別部品として提供することもできる。好適な締結具の例としては、ねじ、スナップ、リベット、接着剤などが挙げられる。カートリッジ支持棚１０６が固定部分１１４の一部として提供される実施形態では、カートリッジ支持棚１０６は、カートリッジ支持棚１０６がブラケット１０４の一部として示されている図１に示されるように、固定部分１１４に対して実質的に同じ位置に位置づけられると想定される。
【００２９】
図１Ａは、その下側が図示されるように回転された、図１のフィルタマニホールド１００を図示する。図示されているように、押圧可能な部材１２６の少なくとも一部分は、弁１１０の固定部分１１４の開口１１６内に突出している。開口１１６はマニホールド供給ポート１３０及びマニホールド濾液ポート１３２の片側に位置づけられる。いくつかの実施形態では、開口１１６はマニホールド供給ポート１３０及びマニホールド濾液ポート１３２の両方の片側又は他方の側に位置づけられる場合がある。押圧可能な部材１２６及び開口１１６については、下記図２及び２Ａを参照して詳述する。
【００３０】
いくつかの実施形態では、マニホールド供給ポート１３０及びマニホールド濾液ポート１３２の１つ又は両方は、フィルタカートリッジがフィルタマニホールド１００から取り外される際に、カートリッジ供給ポート４７０及びカートリッジ濾液ポート４７２（両方とも図４に示されている）の１つ又は両方のシールを通り過ぎるバイパスを引き起こすように構成された、図１Ａが示すような排出口１３３を備える。いくつかの実施形態において、図４に図示されるように、カートリッジ供給ポート４７０及びカートリッジ濾液ポート４７２のそれぞれは、カートリッジ供給ポート４７０をマニホールド供給ポート１３０と密封連結し、カートリッジ濾液ポート４７２をマニホールド濾液ポート１３２と密封連結するためにポート密封部材４７１を備える。ポート密封部材４７１は、例えば、Ｏリング、ガスケット、又はオーバーモールドされたエラストマーシールを備えることができる。排出口１３３は、一連の排出機構を備えることができる。各排出機構は、マニホールド供給ポート１３０及びマニホールド濾液ポート１３２のいずれか又は両方の内壁上の連続扇形の凹部を備えることができる。連続扇形の凹部のそれぞれは、フィルタカートリッジ４６０がフィルタマニホールド１００から取り外される際に、ポート密封部材４７１を通り過ぎるバイパスを引き起こすように構成される。すると、フィルタカートリッジ４６０内に残っている全ての加圧された流体が、フィルタカートリッジ４６０がフィルタマニホールド１００から完全に取り外される前に排出口１３３を通って、圧力のより低い領域に流れることができる。いくつかの実施形態では、フィルタカートリッジ４６０は、バイパスが生成されて加圧流体が排出される際、カートリッジリフター１３８によって保持されたまま残る。そのような実施形態では、排出口１３３及びカートリッジリフター１３８は共に作用し、フィルタカートリッジがフィルタマニホールド１００から急速かつ無制御に解放されるのを防ぐ。
【００３１】
いくつかの実施形態では、フィルタカートリッジ４６０又はフィルタマニホールド１００の１つにサンプ密封部材１０１が更に提供される。サンプ密封部材１０１は、フィルタカートリッジ４６０をフィルタマニホールド１００に連結することによって内部接続チャンバ１０２を周囲環境から隔離する。サンプ密封部材１０１は、例えば、Ｏリング、ガスケット、又はオーバーモールドされたエラストマーシールを備えることができる。サンプ密封部材１０１は、典型的には、加圧された流体が排出口１３３を通ってバイパスする間、内部接続チャンバ１０２の隔離を維持するように位置づけられる。そのような実施形態では、排出口１３３を通って流れる全ての加圧された流体は、フィルタカートリッジ４６０がフィルタマニホールド１００から完全に解放されるまでは内部接続チャンバ１０２内に封じ込められる。
【００３２】
図２及び２Ａは、ロック位置（図２）とロック解除位置（図２Ａ）との両方における弁１１０の代表的な実施形態を図示する。明瞭さのためにブラケット１０４は省かれている。このロックされた位置すなわち解放位置は、図４に示されるフィルタカートリッジ４６０が取り外された状態に対応する。このロック解除の位置は、フィルタカートリッジ４６０が設置された状態に対応する。弁１１０は、固定部分１１４と回転可能な部分２１８とを備えることができる。固定部分１１４は、典型的には、長手方向軸１１５を有する円筒形の穴を有する本体を備える。図２及び２Ａに示されるように、給水源１１１（及び図示されていない濾液出口１１２）は、典型的には、固定部分１１４に付着される。いくつかの実施形態では、固定部分１１４は、サンプ密封部材１０１を更に備える。回転可能な部分２１８は、典型的には、図３に示されるような長手方向軸１１５ａを有する円筒を備える。固定部分１１４及び回転可能な部分２１８は入れ子状態であり、回転可能な部分２１８は固定部分１１４に対して回転する。マニホールド供給ポート１３０は、回転可能な部分２１８がロック位置にあるとき、封鎖されている。回転可能な部分２１８をロック解除位置に回転すると、マニホールド供給ポート１３０が開通する。いくつかの実施形態では、回転可能な部分２１８はロック位置にあるとき、限られた弧にわたって自由に回転する。一実施形態では、限られた弧は回転可能な部分２１８の約４５度の角変位に対応する。別の実施形態では、角変位は約３０度である。更なる実施形態では、角変位は約１５度である。典型的には、マニホールド供給ポート１３０は、限られた弧にわたる回転の間、封鎖されたままである。限られた弧にわたってハンドルを移動させることは、マニホールド供給ポート１３０を開通せずにカートリッジリフター１３８がフィルタカートリッジ４６０を部分的に係合することを可能にする。この機構は、設置及び取り外しの間にフィルタカートリッジ４６０を定位置に保持することを助けることによって整備を容易にすることができる。いくつかの実施形態では、この機構はカートリッジ支持棚１０６と共に作用して、設置及び取り外し中にフィルタカートリッジ４６０を定位置に保持することを助ける。
【００３３】
図２及び図２Ａに示されるように、バイパスチャネル２２０は回転可能な部分２１８内に形成され得るないしは別の方法で配置され得る。そのような実施形態では、バイパスチャネル２２０は、回転可能な部分２１８がロック位置にあるときに給水源１１１をフィルタマニホールド１００の濾液出口１１２に流体接続する。回転可能な部分２１８がロック解除位置にあるとき、バイパスチャネル２２０は給水源１１１及び濾液出口１１２との流体連通から外される。バイパスチャネル２２０は、フィルタカートリッジ４６０が外されているときに流体がフィルタマニホールド１００を通って流れ続けることを可能にすることができるが、フィルタカートリッジ４６０が設置されているときは、流体はフィルタカートリッジ４６０を通して方向づけられる。
【００３４】
いくつかの実施形態では、回転可能な部分２１８は回転ロック１２４によってロック解除位置への回転を阻止される。回転ロック１２４は、固定部分１１４の開口１１６の少なくとも一部分を通って延在する押圧可能な部材１２６を備えることができる。押圧可能な部材１２６と、開口１１６の第１の壁２１７との間の干渉は、限られた弧を超えて回転可能な部分２１８が回転することを阻止する。いくつかの実施形態では、押圧可能な部材１２６はバネ仕掛けのピンを備える。いくつかの実施形態では、押圧可能な部材１２６はコイルバネによって支持された第１の遠位表面２２８を有する固体ピン部分を備える。押圧可能な部材１２６の固体ピン部分を支持するために、他の弾力的な部材を使用することができると想定される。また、押圧可能な部材１２６は、例えばゴム又は他の弾力的な材料で全体を構築され得ると想定される。あるいは、押圧可能な部材１２６はコイルバネを備えてもよい。
【００３５】
いくつかの実施形態では、押圧可能な部材１２６は、回転可能な部分２１８の長手方向軸１１５ａに直交する方向に面する第１の遠位表面２２８を備える。押圧可能な部材１２６が十分な範囲まで押圧されると、回転可能な部分２１８は限られた弧を通り過ぎ、第１の壁２１７を通り過ぎて自由に回転し、その際、押圧可能な部材１２６の第１の遠位表面２２８は、開口１１６を通り過ぎ、固定された部分１１４の円筒壁の内側に沿って滑走する。回転可能な部分２１８がロック解除位置に回転されると、マニホールド供給ポート１３０は開通する。一実施形態では、ロック位置からロック解除位置への回転における回転可能な部分２１８の最大角変位は、約９０度である。別の実施形態では、最大角変位は約１２０度である。別の実施形態では、最大角変位は約６０度である。最大角変位は、フィルタカートリッジ４６０を片手で整備するための人間工学的便益を最大にするために、ハンドル１３４の所望のストロークの長さをもたらすように選択され得る。
【００３６】
典型的には、回転ロック１２４は、図２及び２Ａに示されるように、フィルタカートリッジ４６０上の回転キー２７４によって押圧可能である。フィルタカートリッジ４６０がフィルタマニホールド１００に設置されると、回転キー２７４は回転ロック１２４を押圧し、それによって回転可能な部分２１８がロック位置からロック解除位置に回転することを可能にする。いくつかの実施形態では、回転キー２７４は、その上に第２の遠位表面２７８を有する突出部２７６を備える。そのような実施形態では、第２の遠位表面２７８は第１の遠位表面２２８と接触して、回転ロック１２４を押圧する。一実施形態では、回転キー２７４はフィルタカートリッジ４６０のフィルタ頭部４７３上に配置される。いくつかの実施形態では、回転キー２７４は、図４に示されるカートリッジ供給ポート４７０とカートリッジ濾液ポート４７２との間のフィルタ頭部４７３に位置づけられる。いくつかの実施形態では、回転キーはカートリッジ供給ポート４７０及びカートリッジ濾液ポート４７２からずれており、フィルタカートリッジ４６０が単一の配向でのみフィルタマニホールド１００に設置され得るように整列機構として更に働く。
【００３７】
図３、３Ａ、３Ｂ、及び３Ｃは、弁１１０の回転可能な部分２１８の代表的な実施形態を示す。いくつかの実施形態では、回転可能な部分２１８は２つの部品からなる外殻３２２を備える。２つの部品からなる外殻３２２は、第１の円筒形部分３２２ａと第２の円筒形部分３２２ｂとを備える。第１の円筒形部分３２２ａは供給チャネル３３０ａを備え、第２の円筒形部分３２２ｂは濾液チャネル３３２ａを備える。一実施形態では、第１の円筒形部分３２２ａ及び第２の円筒形部分３２２ｂはそれぞれバイパスチャネル２２０の部分と流体コネクタ３２２ｅの部分とを備え、それら２つの部品のバイパスチャネル２２０を流体接続する。バイパスチャネル２２０は、給水源１１１を濾液出口１１２に流体接続するように構成される。第１の円筒形部分３２２ａ及び第２の円筒形部分３２２ｂはそれぞれ、押圧可能な部材１２６を位置づけるために内部に凹部３２２ｄを備える接続端３２２ｃを有することができる。あるいは、凹部３２２ｄは、第１の円筒形部分３２２ａ又は第２の円筒形部分３２２ｂの１つにのみ形成されてもよい。各接続端３２２ｃは、バイオネット接続３２２ｆを更に備えることができる。第１の円筒形部分３２２ａと第２の円筒形部分３２２ｂとが、該当する実施形態において互いに接続されていると、流体コネクタ３２２ｅはそれら２つの部品のバイパスチャネル２２０を流体接続する。回転可能な部分２１８は、バイパスチャネル２２０のような内部機構を含むために、単一部品ではなく２つの部品からなる外殻３２２として提供され得る。当業者には理解されるように、２つの部品からなる構造物がないと、そのような内部機構の成形又は機械加工は難しい問題を提示する。出願者らは、単一部品より容易にかつより低コストで製造することが可能な２つの部品からなる外殻３２２として回転可能な部分２１８を提供することによって、その難しい問題を解決した。
【００３８】
いくつかの実施形態では、回転可能な部分２１８は、固定部分１１４の第１及び第２の端１１４ａ及び１１４ｂを超えてそれぞれ延在するように構成された第１の軸方向の伸張部分３１８ａと第２の軸方向の伸張部分３１８ｂとを備える。回転可能な部分２１８が２つの部品からなる外殻３２２を備える実施形態では、第１の軸方向の伸張部分３１８ａは第１の円筒形部分３２２ａ上に配置され、第２の軸方向の伸張部分３１８ｂは第２の円筒形部分３２２ｂ上に配置される。第１及び第２の軸方向の伸張部分３１８ａ及び３１８ｂは、ハンドル１３４による弁１１０の作動を可能にするためにハンドル１３４に動作可能に接続される。本特許出願の文脈において、出願者らは、用語「動作可能に接続される」を、「指定された機能を実行するようなやり方で接続される」という意味に定義する。したがって、上記において使用されているように、第１及び第２の軸方向の伸張部分３１８ａ及び３１８ｂは、弁１１０を作動するという機能を実行するようにハンドル１３４と接続される。例えば、ハンドル１３４と、第１及び第２の軸方向の伸張部分３１８ａ及び３１８ｂとは、互いに直接付着され得る。図３に図示するように、第１及び第２の軸方向の伸張部分３１８ａ及び３１８ｂは、平坦な外面部分を備えることができる。図６に図示するように、ハンドル１３４は、それぞれが平坦な内面部分を有する円筒形の穴を備える２つの側面を備えることができる。ハンドル１３４のそれぞれの穴を、対応する第１及び第２の軸方向の伸張部分３１８ａ及び３１８ｂに被せて押し付け、平坦な内面部分と外面部分とを互いに結合させることができる。そのような組み立てを更に接着、溶接、又は他の何らかの方法で保持することができる。
【００３９】
別の実施形態では、ハンドル１３４と、第１及び第２の軸方向の伸張部分３１８ａ及び３１８ｂとを連結具によって接続することができる。別の実施形態では、ハンドル１３４と、第１及び第２の軸方向の伸張部分３１８ａ及び３１８ｂとをギヤトレーンによって接続することができる。
【００４０】
図４は、フィルタカートリッジ４６０の代表的な実施形態を図示する。いくつかの実施形態では、フィルタカートリッジ４６０は、カートリッジ供給ポート４７０と、カートリッジ濾液ポート４７２と、回転キー２７４と、一端に付着されたフィルタ頭部４７３を有する圧力容器に囲まれた濾過媒体と、を備える。一実施形態では、カートリッジ供給ポート４７０、カートリッジ濾液ポート４７２、及び回転キー２７４は、フィルタ頭部４７３上に配置される。いくつかの実施形態では、カートリッジ供給ポート４７０及びカートリッジ濾液ポート４７２はそれぞれ、ポート密封部材４７１を備える。フィルタカートリッジ４６０はカートリッジ外面４６４を備える。いくつかの実施形態では、図６が示すような少なくとも１つのカムラグ６４４又は少なくとも１つのカムランプ６４２はカートリッジ外面４６４上に配置される。図４に図示した実施形態はフィルタ頭部４７３の近くに配置されたカムラグを示しているが、カムラグ又はカムランプはカートリッジ外面４６４の任意の位置に配置され得ると想定される。フィルタ頭部４７３及びカートリッジ外面４６４は任意の好適な剛性材料で構築され得る。好適な材料の例としては、ポリプロピレン、ポリスチレン、ナイロン、及び様々なポリフェニレンエーテル化合物が挙げられる。また、より高い強度を要求する用途においては、例えば、フィルタ頭部４７３及びカートリッジ外面４６４の１つ又は両方をステンレススチール及びアルミニウムのような金属で構築することができる。
【００４１】
カートリッジ供給ポート４７０は濾過媒体の上流部分に流体接続され、一方、カートリッジ濾液ポート４７２は濾過媒体の下流部分に流体接続される。したがって、典型的な実施形態では、カートリッジ供給ポート４７０を通ってフィルタカートリッジ４６０に流入する全ての流体は、濾過媒体を流れて通ってカートリッジ濾液ポート４７２に到達しなくてはならない。好適な濾過媒体としては、例えば、炭素ブロック、プリーツ加工された媒体、不織布、膜、デプスフィルトレーション媒体、及び多孔質ポリマーブロックが挙げられる。
【００４２】
いくつかの実施形態では、フィルタカートリッジ４６０の断面は概して楕円形であるので、例えば円筒形のフィルタカートリッジより小さい奥行を使うことが可能になる。そのような実施形態では、濾過媒体にもまた概して楕円形の断面をもたらすことが可能である。フィルタマニホールド１００の、対応するカートリッジ結合部分に、概して楕円形の断面をもたらすこともまた可能である。本開示による濾過システムが壁に装着される用途では、そのような楕円の立体形状のおかげで、濾過システムが壁から突出する距離は、匹敵する同じ濾過能力を有する円筒形の立体形状に比べて短くなる。
【００４３】
図５及び５Ａは、濾過システム５９０の代表的な実施形態をその整備状態及び解体された状態の両方で図示する。典型的には、濾過システム５９０はフィルタマニホールド１００とフィルタカートリッジ４６０とを備える。図５では、フィルタカートリッジ４６０は設置されており、ハンドル１３４はロック解除された位置すなわち整備位置にある。図５Ａでは、フィルタカートリッジ４６０は外されていて、ハンドル１３４はロック位置すなわち解放位置にある。一実施形態では、フィルタマニホールド１００はブラケット１０４と、ハンドル１３４と、弁１１０と、カートリッジ支持棚１０６と、図１Ａに示されるようなマニホールド供給ポート１３０と、図１Ａに示されるようなマニホールド濾液ポート１３２と、給水源１１１と、濾液出口１１２と、を備える。上述したように、いくつかの実施形態では、フィルタマニホールド１００はブラケット１０４なしに提供される。そのような実施形態では、上述したようにカートリッジ支持棚１０６を固定部分１１４の一部として提供することができる。いくつかの実施形態では、フィルタマニホールド１００はサンプ密封部材１０１を備える。一実施形態では、サンプ密封部材１０１は弁１１０の固定部分１１４上に提供される。ハンドル１３４は、カムランプ６４２のリフター係合機構又はカムラグ６４４のリフター係合機構６４０のうち１つを有するカートリッジリフター１３８を更に備える。一実施形態では、フィルタカートリッジ４６０は、カートリッジ外面４６４と、カートリッジ供給ポート４７０と、カートリッジ濾液ポート４７２と、ポート密封部材４７１と、回転キー２７４と、リフター係合機構６４０を係合するための少なくとも１つのカムラグ６４４又はカムランプ６４２と、を備える。いくつかの実施形態では、回転キー２７４は、第２の遠位表面２７８を有する突出部２７６を備える。
【００４４】
カートリッジ外面４６４及びカートリッジリフター１３８は相補的係合機構を備えると想定される。例えば、リフター係合機構６４０はカムランプ６４２を備えることができ、カートリッジ外面４６４はカムラグ６４４を備えることができる。同様に、リフター係合機構６４０はカムラグ６４４を備えることができ、カートリッジ外面４６４はカムランプ６４２を備えることができる。また、ハンドル１３４は複数のカートリッジリフター１３８を備えることができ、カートリッジリフター１３８は同じ又は異なるタイプのリフター係合機構６４０を備えることができると想定される。例えば、ハンドル１３４は、２つの対向するカートリッジリフター１３８（フィルタカートリッジ４６０の各側部に１つ）を備えることができる。１つのカートリッジリフター１３８はカムランプ６４２を備えることができ、一方、対向するカートリッジリフター１３８はカムラグ６４４を備えることができる。そのような実施形態では、カートリッジ外面４６４は、カムランプ６４２のリフター係合機構６４０に対応するカムラグ６４４と、カムラグ６４４のリフター係合機構６４０に対応するカムランプ６４２と、を備える。
【００４５】
一実施形態では、濾過システム５９０は、（ｉ）ハンドル１３４が解放位置にある間にフィルタマニホールド１００の下にフィルタカートリッジ４６０を提供する工程と、（ｉｉ）整備位置にハンドル１３４を回転し、それによってカートリッジリフター１３８をカムラグ６４４でカムランプ６４２に接触させて、それによってフィルタカートリッジ４６０をフィルタマニホールド１００の方へ引き寄せる工程と、（ｉｉｉ）カートリッジ供給ポート４７０をマニホールド供給ポート１３０と係合させる工程と、（ｉｖ）カートリッジ濾液ポート４７２をマニホールド濾液ポート１３２と係合させる工程と、（ｖ）マニホールド供給ポート１３０を開通するために弁１１０を作動する工程と、によって組み立てられる。
【００４６】
別の実施形態では、濾過システム５９０は、（ｉ）ハンドル１３４が解放位置にある間にフィルタカートリッジ４６０をカートリッジ支持棚１０６上で準備位置に静置する工程と、（ｉｉ）整備位置にハンドル１３４を回転し、それによってカートリッジリフター１３８をカムラグ６４４でカムランプ６４２に接触させて、それによってフィルタカートリッジ４６０をカートリッジ支持棚１０６から持ち上げてフィルタマニホールド１００の方へ引き寄せる工程と、（ｉｉｉ）カートリッジ供給ポート４７０をマニホールド供給ポート１３０と係合させる工程と、（ｉｖ）カートリッジ濾液ポート４７２をマニホールド濾液ポート１３２と係合させる工程と、（ｖ）マニホールド供給ポート１３０を開通するために弁１１０を作動する工程と、によって組み立てられる。
【００４７】
別の実施形態では、濾過システム５９０は、（ｉ）ハンドル１３４が解放位置にある間にフィルタカートリッジ４６０をフィルタマニホールド１００の下に提供する工程と、（ｉｉ）図１Ａに示されるように回転キー２７４を回転ロック１２４に接触させる工程と、（ｉｉｉ）整備位置にハンドル１３４を回転し、それによってカートリッジリフター１３８をカムラグ６４４でカムランプ６４２に接触させて、それによってフィルタカートリッジ４６０をフィルタマニホールド１００の方へ引き寄せる工程と、（ｉｖ）カートリッジ供給ポート４７０をマニホールド供給ポート１３０と係合させる工程と、（ｖ）カートリッジ濾液ポート４７２をマニホールド濾液ポート１３２と係合させる工程と、（ｖｉ）マニホールド供給ポート１３０を開通するために弁１１０を作動する工程と、によって組み立てられる。
【００４８】
別の実施形態では、濾過システム５９０は、（ｉ）ハンドル１３４が解放位置にある間及びバイパスチャネル２２０が給水源１１１と濾液出口５１２とを流体接続している間にフィルタカートリッジ４６０をフィルタマニホールド１００の下に提供する工程と、（ｉｉ）整備位置にハンドル１３４を回転し、それによってカートリッジリフター１３８をカムラグ６４４でカムランプ６４２に接触させて、それによってフィルタカートリッジ４６０をフィルタマニホールド１００の方へ引き寄せる工程と、（ｉｉｉ）カートリッジ供給ポート４７０をマニホールド供給ポート１３０と係合させる工程と、（ｉｖ）カートリッジ濾液ポート４７２をマニホールド濾液ポート１３２と係合させる工程と、（ｖ）バイパスチャネル２２０を動かして給水源１１１及び濾液出口１１２との流体接続から外す工程と、（ｖｉ）マニホールド供給ポート１３０を開通するために弁１１０を作動する工程と、によって組み立てられる。
【００４９】
上記方法のいくつかの工程は必ずしも順次でなくてもよいと理解されたい。例えば、典型的な実施形態では、カートリッジ供給ポート４７０を図１Ａに示すようなマニホールド供給ポート１３０と係合する工程は、カートリッジ濾液ポート４７２を図１Ａに示すようなマニホールド濾液ポート１３２と係合する工程と実質的に同時に生じる。また、上述の方法の工程は、それらが記述されている実施形態のみに限定されないと理解されたい。例えば、ハンドル１３４が解放位置にある間にフィルタカートリッジ４６０をカートリッジ支持棚１０６上で準備位置に静置する工程は、回転キー２７４を同じ方法において回転ロック１２４と接触させる工程と組み合わせることができる。他の方法工程を同様に組み合わせてもよい。
【００５０】
図６は、カートリッジリフター１３８に配置されたカムランプ６４２のリフター係合機構６４０を有するハンドル１３４の断面図を図示する。いくつかの実施形態では、カムランプ６４２は第１のランプ部分６４２ａと第２のランプ部分６４２ｂとを備える。一実施形態では、第１のランプ部分６４２ａは、第２のランプ部分６４２ｂより大きい傾斜を有する。そのような実施形態では、フィルタマニホールド１００へのフィルタカートリッジ４６０の係合は、以下のような工程によって為し得る。ハンドル１３４が回転し始めてカートリッジリフター１３８によるフィルタカートリッジ４６０の係合が可能になる際に、第１のランプ部分６４２ａはカムラグ６４４を係合して、サンプ密封部材１０１がフィルタカートリッジ４６０をフィルタマニホールド１００に密封連結するまで、フィルタカートリッジ４６０をカートリッジ支持棚１０６からすばやく持ち上げることができる。係合プロセスのその時点で、カートリッジ供給ポート４７０はマニホールド供給ポート１３０と部分的に係合され、カートリッジ濾液ポートはマニホールド濾液ポート１３２と部分的に係合され、排出口１３３は各ポート密封部材４７１を通り過ぎるバイパスを作り出す。次いで、ハンドル１３４が更に回転されると、カムラグ６４４は移動して第２のランプ部分６４２ｂと接触し、それと同時に、フィルタカートリッジ４６０はよりゆっくりと持ち上げられる。よりゆっくりと持ち上げるほど、回転可能な部分２１８の角位置に対してカートリッジ４６０をフィルタマニホールド１００内により正確に位置づけることを可能にする。場合によっては、例えば、各ポート密封部材４７１が排出口１３３を超えて移動して完全なシールを生成するまでマニホールド供給ポート１３０が封鎖され続けることは重要であり得る。そのようなシールが生成された後、ハンドル１３４は引き続き回転することによって、フィルタカートリッジ４６０がフィルタマニホールド１００に対して完全に座り、マニホールド供給ポート１３０が封鎖されるまで、カムラグ６４４が引き続き第２のランプ部分６４２ｂを滑走することを可能にする。第１及び第２のランプ部分６４２ａ及び６４２ｂは、直線輪郭又は曲線輪郭を備えることができる。あるいは、カムランプをカートリッジ外面４６４上に配置してもよい。
【００５１】
図６Ａは、リフター係合機構６４０と係合するカムラグ６４４を有するフィルタカートリッジ４６０の一部分を示し、カムラグ６４４はカートリッジ外面４６４上に配置される。いくつかの実施形態では、カムラグ６４４は先端６４４ａと主面６４４ｂとを備える。そのような実施形態では、先端６４４ａは第１のランプ部分６４２ａを摺動して協調動作し、カートリッジ支持棚１０６からのフィルタカートリッジ４６０の迅速な持ち上げを支援することができ、一方、主面６４４ｂは第２のランプ部分６４２ｂを摺動して協調動作し、フィルタカートリッジ４６０をフィルタマニホールド１００によりゆっくりと正確に係合することができる。あるいは、カムラグをリフター係合機構６４０上に配置してもよい。
【００５２】
いくつかの実施形態では、カムランプ６４２とカムラグ６４４との係合は２工程のプロセスを含む。第１に、ハンドル１３４が解放位置から反時計回りに回転して図６に示されるように整備位置になる際に、第１のランプ部分６４２ａは先端６４４ａに接触し、それによってフィルタカートリッジ４６０をフィルタマニホールド１００の方へ引き寄せる。第２に、ハンドル１３４が回転し続ける際に、第２のランプ部分６４２ｂが主面６４４ｂと接触し、それによってフィルタカートリッジ４６０をフィルタマニホールド１００の方へ引き続き引き寄せる。第１のランプ部分６４２ａが第２のランプ部分６４２ｂより大きい傾斜を有する実施形態では、フィルタカートリッジ４６０は第２の工程中より第１の工程中により速い速度でフィルタマニホールド１００の方へ引き寄せられる。上述の便益と共に、そのような２工程のプロセスは、（ｉ）第１の工程中にフィルタカートリッジ４６０をフィルタマニホールド１００に比較的迅速に密封することによって、フィルタカートリッジの設置中の濾過システム５９０からのいかなる流体の漏れをも防ぐことを助けること、その一方で、（ｉｉ）第２の工程中に、フィルタカートリッジ４６０がフィルタマニホールド１００に対して完全に密封され、マニホールド供給ポート１３０が開通する際に、回転可能な部分２１８とフィルタカートリッジ４６０間の正確で時宜にかなった相互作用を可能にすることを、可能にすることができる。
【００５３】
いくつかの実施形態では、ハンドル１３４は、ハンドル解放機構６５２を更に備える。図６に示されるように、ハンドル解放機構６５２はカムランプ６４２のリフター係合機構６４０に対向する位置に位置づけられたカム面を備えることができる。そのような実施形態が採用される場合、カートリッジ外面４６４上のカムラグ６４４はカートリッジ解放機構６５４を備えることができる。図６Ａに示されるように、カートリッジ解放機構６５４は主面６４４ｂに対向する位置に位置づけられたカム面を備えることができる。ハンドル解放機構６５２とカートリッジ解放機構６５４は協調動作して、図６が示すようにハンドル１３４が時計回りの方向に回転されたとき、フィルタマニホールド１００からのフィルタカートリッジ４６０の取り外しを支援することができる。ハンドル１３４が時計回りの方向に回転される際に、ハンドル解放機構６５２はカートリッジ解放機構６５４と接触して、フィルタカートリッジ４６０を押してフィルタマニホールド１００から離れる。解放機構のこの組み合わせは、各ポート密封部材４７１をそれぞれ対応するマニホールド供給ポート１３０及びマニホールド濾液ポート１３２から外すのを支援するためにハンドル１３４を作動することによって得られる機械的利益を使用することによって、使用者がフィルタマニホールド１００からフィルタカートリッジ４６０を取り外すのを容易にすることができる。そのような支援は、例えば、Ｏリングのような密封部材が長期間にかけて圧縮されたために一時的に「固定され」て、それらが密着している表面に固着している場合に、有益となり得る。
【００５４】
図７は、解体された状態にある濾過システム５９０の代表的な実施形態を示し、フィルタカートリッジ４６０は使い捨てのフィルタ要素７６８と、内部体積７６７を有する剛性サンプ７６６と、を備える。使い捨てのフィルタ要素７６８の少なくとも一部分は内部体積７６７内に位置づけることが可能である。いくつかの実施形態では、剛性サンプ７６６は、使い捨てフィルタ要素７６８が交換される度に再利用される。そのような実施形態では、フィルタ使い捨てフィルタ要素７６８の交換の際により少ない物質が廃棄されるので、環境ごみの削減を実現することができる。
【００５５】
いくつかの実施形態では、使い捨てフィルタ要素７６８は、カートリッジ供給ポート４７０と、カートリッジ濾液ポート４７２と、回転キー２７４と、一端に付着されたフィルタ頭部７７３を有するケーシング７６８ａによって囲まれた濾過媒体と、を備える。一実施形態では、カートリッジ供給ポート４７０、カートリッジ濾液ポート４７２、及び回転キー２７４は、フィルタ頭部７７３上に配置される。ケーシング７６８ａは不透水性材料を含む。いくつかの実施形態では、ケーシング７６８ａは、例えば低密度ポリエチレンのような可撓性の不透水性材料を含む。典型的には、フィルタ頭部７７３は、ケーシング７６８ａに比べて比較的剛性の材料を含む。フィルタ頭部７７３は任意の好適な剛性材料で構築され得る。好適な材料の例としては、ポリプロピレン、ポリスチレン、ナイロン、及び様々なポリフェニレンエーテル化合物が挙げられる。
【００５６】
いくつかの実施形態では、剛性サンプ７６６は、ケーシング７６８ａより高い動作圧に耐えるように設計された圧力容器として構成される。剛性サンプ７６６は任意の好適な剛性材料で構築され得る。好適な材料の例としては、ポリプロピレン、ポリスチレン、ナイロン、及び様々なポリフェニレンエーテル化合物が挙げられる。また、より高い強度を必要とする用途では、例えば、剛性サンプ７６６をステンレススチール及びアルミニウムのような金属で構築してもよいと想定される。濾過システム５９０の典型的な実施形態が組み立てられて動作圧下に置かれると、ケーシング７６８ａは剛性サンプ７６６の内部体積７６７の側壁にもたれる。ケーシング７６８ａは剛性サンプ７６６と同じ耐圧能力を有する必要がないので、使い捨てのフィルタ要素７６８は、もしそのような耐圧能力が必要であれば必要となるであろうよりはるかに少ない材料で構築され得る。結果的に、使い捨てフィルタ要素７６８の交換の度に、より少ない材料が廃棄される。ケーシング７６８ａは、供給される流体で内部体積７６７が濡れるのを防ぐという更なる利点を提供する。結果的に、剛性サンプ７６６に要求されるいかなる洗浄をも削減又は排除することができる。
【００５７】
カートリッジ外面４６４は、剛性サンプ７６６又は使い捨てフィルタ要素７６８のいずれかの一部であってよいと想定される。しかし典型的には、カートリッジ外面４６４は剛性サンプ７６６の一部である。
【００５８】
フィルタカートリッジ４６０が使い捨てフィルタ要素７６８と剛性サンプ７６６とを備える実施形態では、回転キー２７４は典型的にはフィルタ頭部７７３上に配置される。結果的に、空の剛性サンプ７６６がフィルタマニホールド１００に位置づけられると、回転キー２７４は図１Ａに示された回転ロック１２４を押圧することがなく、ハンドル１３４は整備位置への回転を阻止されることになる。ハンドル１３４が整備位置に回転されないので、図１Ａに示されたマニホールド供給ポート１３０は封鎖されたままになる。そのような実施形態では、濾過システム５９０は、フィルタマニホールド１００へのフィルタカートリッジ４６０の設置の前に、適合可能な使い捨てのフィルタ要素７６８が剛性サンプ７６６に設置されたときにのみ、マニホールド供給ポート１３０の開通を可能にすることになる。そのような実施形態では、使用者又は整備技士が剛性サンプ７６６を再び設置するときに誤って使い捨てフィルタ要素７６８を省くことが防がれる。結果的に、そのような実施形態では、使用者は、剛性サンプ７６６が設置されてハンドル１３４が整備位置にあれば、濾過システム５９０が濾過機能を実行していると確信することができる。
【００５９】
この発明の種々の修正及び変更が発明の趣旨及び範囲から逸脱しないことは、当業者には分かるであろう。本発明は、本明細書において説明した例示の実施形態に制限されないことを理解されたい。
【図１】
0005536774.tif 000002
【図１Ａ】
0005536774.tif 000003
【図２】
0005536774.tif 000004
【図２Ａ】
0005536774.tif 000005
【図３】
0005536774.tif 000006
【図３Ａ】
0005536774.tif 000007
【図３Ｂ】
0005536774.tif 000008
【図３Ｃ】
0005536774.tif 000009
【図４】
0005536774.tif 000010
【図５】
0005536774.tif 000011
【図５Ａ】
0005536774.tif 000012
【図６】
0005536774.tif 000013
【図６Ａ】
0005536774.tif 000014
【図７】
0005536774.tif 000015